(57)【要約】【課題】カード排出開始時には、比較的大きな押圧力でカードを押し出すことができ、その後はカードを比較的大きな排出量で排出させることができるとともに、排出レバーの回動動作の安定化を実現できるカード用コネクタ装置の提供。【解決手段】回動可能に軸１１に支持され、軸１１を挟んで一端側１２をカード１の挿入方向へ押圧すると他端側１５がカード１の排出方向へ回動してカード１を排出させる排出レバー１０を備え、この排出レバー１０の軸１１の位置を不変に設定するとともに、カード１の排出に際し、カード１に当接する排出レバー１０の当接点と軸１１との距離を、カード１の排出開始時から排出終了時の間で増加させる距離変更手段を備えた。【選択図】      図１
2004335303.tif 000002
【特許請求の範囲】
【請求項１】
回動可能に軸支され、回動支点を挟んで一端側を上記カードの挿入方向へ押圧すると他端側が上記カードの上記排出方向へ回動して上記カードを排出方向へ押し出す排出レバーを備え、
この排出レバーの上記回動支点の位置を不変に設定するとともに、
上記カードの排出に際し、上記カードに当接する上記排出レバーの当接点と上記回動支点との距離を、上記カードの排出開始時から排出終了時の間で増加させる距離変更手段を備えたことを特徴とするカード用コネクタ装置。
【請求項２】
上記請求項１記載の発明において、
上記排出レバーを装置奥側位置に配置したことを特徴とするカード用コネクタ装置。
【請求項３】
上記請求項２記載の発明において、
上記回動支点が、信号処理に活用される上記カードの接触部材に接触する端子部材が備えられるヘッダに一体に形成した軸から成ることを特徴とするカード用コネクタ装置。
【請求項４】
上記請求項２記載の発明において、
上記回動支点が、本体を形成するハウジングを覆うカバー部材に一体に形成した軸から成ることを特徴とするカード用コネクタ装置。
【請求項５】
上記請求項２記載の発明において、
上記距離変更手段が、それぞれ上記排出レバーの上記他端側に形成され、上記カードの排出開始時に上記カードを押圧する第１押圧部と、上記回動支点に対し上記第１押圧部よりも遠くに位置し、上記カードの排出開始後に上記カードを押圧する第２押圧部とを含むことを特徴とするカード用コネクタ装置。
【請求項６】
上記請求項２記載の発明において、
上記距離変更手段が、上記排出レバーの上記他端側に形成され、上記カードを押圧する曲線形状部を含み、この曲線形状部は、所定のカード装着位置に装着された上記カードの装置奥側に位置する前端部側に向って、凸となる形状に形成したことを特徴とするカード用コネクタ装置。
【請求項７】
上記請求３〜６記載の発明において、
所定のカード装着位置に上記カードが装着された際に、装置奥側に位置する上記カードの前端部の付近に、上記排出レバーの上記他端側の少なくとも一部が収容される凹部を有するとともに、上記カードの排出に際し上記排出レバーの上記他端側が上記凹部の壁面を押圧するように、上記排出レバーを配置したことを特徴とするカード用コネクタ装置。
【請求項８】
上記請求項７記載の発明において、
上記カードは、上記凹部を覆う上壁を有することを特徴とするカード用コネクタ装置。
【請求項９】
上記請求項２記載の発明において、
上記カードの排出に際し上記排出レバーの上記他端側が、所定のカード装着位置に上記カードが装着された際に装置奥側に位置する上記カードの前端部を押圧するように、上記排出レバーを配置したことを特徴とするカード用コネクタ装置。
【請求項１０】
上記請求項２記載の発明において、
上記排出レバーの上記一端側を上記カードの挿入方向へ移動させるプッシュロッドを備えたことを特徴とするカード用コネクタ装置。
【発明の詳細な説明】
【０００１】
【発明の属する技術分野】
本発明は、所定のカード装着位置に装着された情報記憶機能を有する小型メモリカード等のカードを排出させる排出レバーを備えたカード用コネクタ装置に関する。
【０００２】
【従来の技術】
従来、排出レバーを回動可能に支持させ、この排出レバーにプッシュロッドを連結させたカード用コネクタ装置がある。このカード用コネクタ装置は、プッシュロッドを押圧操作することにより、排出レバーを回動させ、この排出レバーによって、装置内の所定のカード装着位置に装着されたカードを排出方向へ押し出すようになっている。
【０００３】
このような排出レバーを有するカード用コネクタ装置にあっては、カードが所定のカード装着位置に装着されている状態から排出させるとき、すなわちカードの排出開始時には、カードの信号処理に活用される接触部材と、装置に備えられる端子部材との接触圧が大きいことから、この大きな接触圧に抗して排出レバーでカードを押圧させなければならない。したがって、カードの排出開始時には比較的大きな押圧力でカードを押し出すことが望まれる。また、カードの接触部材が装置の端子部材から離脱した後には、比較的大きな排出量でカードを排出させることが望まれる。
【０００４】
このような要望に応える従来技術として、アームバー、すなわち排出レバーの回動支点の位置を可変にした構成が提案されている。この従来技術は、カードを端子部材から離脱させる排出開始時には、回動支点とカードに対する押圧部との距離が短くなるように第１の回動支点の位置を設定してある。また、カードが端子部材から離脱した後には、回動支点とカードの押圧部との距離が長くなるように上述した第１の回動支点とは別の第２の回動支点の位置を設定した構成にしてある。
【０００５】
このように構成される従来技術は、カードを端子部材から離脱させる際、すなわち排出レバーを回動させてカードを押し出す排出開始時には、排出レバーの回動支点とカードに対する押圧部との距離が短いことから、比較的大きな押圧力を排出レバーによってカードに与えることができ、カードの排出開始を支障なく実施できる。また、カードを端子部材から離脱させた後には、排出レバーの回動支点とカードの押圧部との距離が長くなることから、カードに対する排出レバーの押圧力はカード排出時に比べて小さくなるものの、カードの排出量を大きくすることができ、速やかにカードを排出させることができる（例えば、特許文献１参照。）。
【０００６】
【特許文献１】
特開平９−８２４１１号公報
（段落番号０００９，００１２−００１４、図３，４，５）
【０００７】
【発明が解決しようとする課題】
しかし、上述した公報に記載される従来技術は、排出開始時にカードに対する大きな押圧力を確保させ、カードが端子部材から離脱した後には大きなカード排出量を確保させる動作を実現させるために、排出レバーの回動動作の間に、この排出レバーの回動支点の位置を変更させる構成になっている。すなわち、この従来技術は、排出レバーの回動動作が複数の回動支点において実施される。このために、排出レバーの回動動作が不安定になりやすく、カード排出性能が劣化しやすい。これによりコネクタ装置としての信頼性が低下する懸念がある。
【０００８】
本発明は、上述した従来技術における実状からなされたもので、その目的は、カード排出開始時には、比較的大きな押圧力でカードを押し出すことができ、その後はカードを比較的大きな排出量で排出させることができるとともに、排出レバーの回動動作の安定化を実現できるカード用コネクタ装置を提供することにある。
【０００９】
【課題を解決するための手段】
上記目的を達成するために、本発明は、回動可能に軸支され、回動支点を挟んで一端側を上記カードの挿入方向へ押圧すると他端側が上記カードの上記排出方向へ回動して上記カードを排出方向へ押し出す排出レバーを備え、この排出レバーの上記回動支点の位置を不変に設定するとともに、上記カードの排出に際し、上記カードに当接する上記排出レバーの当接点と上記回動支点との距離を、上記カードの排出開始時から排出終了時の間で増加させる距離変更手段を備えたことを特徴としている。
【００１０】
このように構成した本発明は、カードの排出開始時には、カードに当接する排出レバーの当接点と、排出レバーの回動支点との距離が比較的短いことから、排出レバーを回動させることにより、カードに比較的大きな押圧力を与え、このカードを押し出すことができる。その後は、距離変更手段により、カードに当接する排出レバーの当接点と排出レバーの回動支点との距離が長くなることから、排出レバーの回動に伴うカードの排出量が大きくなり、このカードを速やかに排出させることができる。そして、排出レバーの回動支点の位置を不変に設定してあることから、カードの排出に際して、排出レバーは１つの回動支点においてのみ回動動作を実施する。これにより、この排出レバーの回動動作の安定化を実現できる。
【００１１】
また本発明は、上記発明において、上記排出レバーを装置奥側位置に配置したことを特徴としている。
【００１２】
このように構成した本発明は、装置奥側に配置される端子部材が備えられる部分を、排出レバーの配置領域として活用させることができる。
【００１３】
また本発明は、上記発明において、上記回動支点が、信号処理に活用される上記カードの接触部材に接触する端子部材が備えられるヘッダに一体に形成した軸から成ることを特徴としている。
【００１４】
このように構成した本発明は、ヘッダ形成時に、排出レバーの軸を同時に形成できる。
【００１５】
また本発明は、上記発明において、上記回動支点が、本体を形成するハウジングを覆うカバー部材に一体に形成した軸から成ることを特徴としている。
【００１６】
このように構成した本発明は、カバー部材の形成時に、排出レバーの軸を同時に形成できる。
【００１７】
また本発明は、上記発明において、上記距離変更手段が、それぞれ上記排出レバーの上記他端側に形成され、上記カードの排出開始時に上記カードを押圧する第１押圧部と、上記回動支点に対し上記第１押圧部よりも遠くに位置し、上記カードの排出開始後に上記カードを押圧する第２押圧部とを含むことを特徴としている。
【００１８】
このように構成した本発明は、カードの排出時には、排出レバーの第１押圧部がカードを押圧し、その後に排出レバーの第２押圧部がカードを押圧する。第１押圧部と回動支点との距離は比較的短く、第２押圧部と回動支点との距離は長い。したがって、カードの排出開始時には、回動支点との距離が短い第１押圧部を介してカードに比較的大きな押圧力を与え、このカードを押し出すことができる。その後は、回動支点との距離が長い第２押圧部を介してカードの排出量を大きくさせ、このカードを速やかに排出させることができる。
【００１９】
また本発明は、上記発明において、上記距離変更手段が、上記排出レバーの上記他端側に形成され、上記カードを押圧する曲線形状部を含み、この曲線形状部は、所定のカード装着位置に装着された上記カードの装置奥側に位置する前端部側に向って凸となる形状に形成したことを特徴としている。
【００２０】
このように構成した本発明は、排出レバーの凸形状の曲線形状部の回動支点に近い所定部分を排出開始時のカードへの当接点として設定し、曲線形状部の回動支点から遠い所定部分を、その後のカードへの当接点として設定することができる。
【００２１】
このように設定することにより、カードの排出開始時には曲線形状部の上述した近い所定部分がカードを押圧し、その後は曲線形状部の上述した遠い所定部分がカードを押圧する。この曲線形状部の上述した遠い所定部分は、その凸形状に応じて排出レバーの回動に伴って回動支点から離れる方向に連続的に変位する。すなわち、上述した遠い所定部分は、排出レバーの回動に応じてカードの前端部側に沿って移動する。これにより、排出開始時には曲線形状部の上述した近い所定部分と回動支点との距離が短く、その後は、曲線形状部の上述した遠い所定部分と回動支点との距離は次第に長くなる。
【００２２】
したがって、カードの排出開始時には、曲線形状部の上述した近い所定部分を介してカードに比較的大きな押圧力を与えて、このカードを押し出すことができ、その後は、曲線形状部の上述した遠い所定部分を介してカードの排出量を連続的に増加させて、このカードを速やかに排出させることができる。これにより、カードの円滑な排出を実現できる。
【００２３】
また本発明は、上記発明において、所定のカード装着位置に上記カードが装着された際に、装置奥側に位置する上記カードの前端部の付近に、上記排出レバーの上記他端側の少なくとも一部が収容される凹部を有するとともに、上記カードの排出に際し上記排出レバーの上記他端側が上記凹部の壁面を押圧するように、上記排出レバーを配置したことを特徴としている。
【００２４】
このように構成した本発明は、カードに形成した凹部内に排出レバーの他端側の少なくとも一部が収容されるので、装置の奥行寸法を小さく設定できる。
【００２５】
また本発明は、上記発明において、上記カードは、上記凹部を覆う上壁を有することを特徴としている。
【００２６】
このように構成した本発明は、排出レバーの上下方向の動きを上壁で規制することができ、円滑な排出レバーの回動動作を実現させることができる。また、排出レバーがカードの上面部分に位置することがないので、この排出レバーによるカードの上面部分等に対する損傷を防ぐことができる。
【００２７】
また本発明は、上記発明において、上記カードの排出に際し上記排出レバーの上記他端側が、所定のカード装着位置に上記カードが装着された際に装置奥側に位置する上記カードの前端部を押圧するように、上記排出レバーを配置したことを特徴としている。
【００２８】
このように構成した本発明は、排出レバーの回動に伴って、排出レバーの他端側がカードの前端部を押圧して、このカードを押し出し、排出させることができる。
【００２９】
また本発明は、上記発明において、上記排出レバーの上記一端側を上記カードの挿入方向へ移動させるプッシュロッドを備えたことを特徴としている。
【００３０】
このように構成した本発明は、プッシュロッドの押圧操作により、排出レバーの一端部が移動してこの排出レバーが回動支点を中心に回動し、所定のカード排出操作を実現できる。
【００３１】
【発明の実施の形態】
以下，本発明のカード用コネクタ装置の実施形態を図に基づいて説明する。
【００３２】
図１〜３はカードの断面図を含む本発明の第１実施形態を示す図で、図１はカード排出開始時の平面図、図２はカード排出途中の平面図、図３はカード排出終了時の平面図である。
【００３３】
図４は本発明の第１実施形態に備えられる排出レバー及びヘッダと、カードとの装着関係を示す図で、（ａ）図はカード装着前を示す要部側断面図、（ｂ）図はカード装着時を示す要部側断面図である。
【００３４】
［第１実施形態で使用されるカード］
本発明の第１実施形態で使用されるカード１は、例えば情報記憶機能を有する小型メモリカードであり、図１に示すように、所定のカード装着位置に装着された際に装置奥側に位置する前端部１ａ付近に凹部２を備えている。この凹部２は図４の（ａ）図に示すように開口２ａを有し、上方部分が上壁４に覆われている。凹部２の開口２ａに対向する部分は壁面５を形成している。また、カード１は、同図４の（ａ）（ｂ）図に示すように、信号処理に活用される接触部材３を備えている。この接触部材３の前側部分は凹部２内に露出させてある。
【００３５】
［第１実施形態の要部構成］
図１に示すように、本発明の第１実施形態は、本体を形成するハウジング６を備え、このハウジング６の内部がカード１の挿入部を形成している。このハウジング６の装置奥側部分には、図４の（ａ）（ｂ）図に示すように、ヘッダ７を備えている。このヘッダ７には、図４の（ａ）（ｂ）図に示すように、カード１の接触部材３に接触する端子部材８を備えている。このヘッダ７には溝部９を形成してあり、端子部材８の一部は溝部９内に露出させてある。ヘッダ７の溝部９を覆う上壁７ａは、カード１の凹部２内に挿入可能になっている。また、カード１の凹部２の下方部分を形成する接触部材３の一部及び下壁４ｂは、図４の（ｂ）図に示すように、ヘッダ７の溝部９内に挿入可能になっている。
【００３６】
例えば、ヘッダ７と一体に、このヘッダ７の上部に軸１１を形成してあり、このヘッダ７上に軸１１を回動支点とし、カード１を排出方向へ押し出す排出レバー１０を配置させてある。すなわち、排出レバー１０の回動支点を形成する軸１１は、ヘッダ７上において位置が不変となるように設定してある。
【００３７】
図１に示すように、排出レバー１０の一端側１２には、プッシュロッド１３を連結してあり、このプッシュロッド１３の端部には、このプッシュロッド１３を押圧操作するつまみ１４を取り付けてある。
【００３８】
同図１に示すように、操作レバー１０の他端側１５には、カード１の排出開始時にカード１の例えば凹部２の壁面５を押圧する第１押圧部１６を形成させてある。また、軸１１に対し第１押圧部１６よりも遠くに位置し、カード１の排出開始後にカード１の例えば凹部２の壁面５を押圧する第２押圧部１７を形成させてある。
【００３９】
これらの第１押圧部１６及び第２押圧部１７は、カード１の排出に際し、このカード１に当接する排出レバー１０の当接点と回動支点を形成する軸１１との距離を、カード１の排出開始時から排出終了時の間で増加させる距離変更手段を構成している。この第１実施形態は、カード１の排出開始時には、図１に示すように、排出レバー１０の当接点である第１押圧部１６と軸１１との距離が、比較的短い距離Ｌ１であったものが、その後にあっては図３に示すように、排出レバー１０の当接点である第２押圧部１７と軸１１との距離が、前述の距離Ｌ１よりも長い距離Ｌ２となるように設定してある。
【００４０】
［カードの装着］
図４の（ａ）図に示すように、ハウジング６内に挿入されたカード１は、図４の（ｂ）図に示すように、所定のカード装着位置まで押し込まれる。このようにカード１が所定のカード装着位置に装着された状態では、カード１の凹部２内に、ヘッダ７の上壁７ａと、排出レバー１０の少なくとも一部が収容され、排出レバー１０の第１押圧部１６がカード１の凹部２の壁面５に当接する。また、ヘッダ７の溝部９内に、カード１の下壁４ｂと接触部材３の一部が収容される。これにより、カード１の接触部材３とヘッダ７の端子部材８とが接触し、カード１に対する信号の送受信が可能となる。
【００４１】
［カードの排出］
図１は図４の（ｂ）図に対応している。図１及び図４の（ｂ）図に示すように、所定のカード装着位置に装着されているカード１を排出させる際には、図１に示すつまみ１４が押圧される。これにより、プッシュロッド１３がカード１の挿入方向に押され、排出レバー１０の一端側１２が、カード１の挿入方向に移動する。これに伴い排出レバー１０は軸１１を中心に同図１において反時計回りに回動を始める。このときの排出レバー１０の第１押圧部１６によるカード１に対する押圧力は、下記の式による比較的大きい押圧力Ｆ１となる。
【００４２】
Ｆ１・Ｌ１＝Ｆ・Ｌ
また、このカード１の排出開始時のカード１の排出量は、比較的短い距離Ｌ１に応じて比較的小さな排出量Ｓ１となる。
【００４３】
上述のように、カード１の排出開始時に、比較的大きい押圧力Ｆ１が得られることから、カード１の接触部材３とヘッダ７の端子部材８との接触による比較的大きな接触圧に抗して、排出レバー１０によってカード１を排出方向に押し出すことができる。
【００４４】
引き続く排出レバー１０の回動により、図２に示すように、排出レバー１０の第２押圧部１７もカード１の凹部２の壁面５に当接する。
【００４５】
さらに、排出レバー１０が回動すると、カード１への押圧部は図３に示すように、第２押圧部１７のみとなる。このときの第２押圧部１７によるカード１の排出量は、距離Ｌ１よりも長い距離Ｌ２に応じて大きな排出量Ｓ２となる。
【００４６】
なお、このときの第２押圧部１７によるカード１に対する押圧力は、下記の式による比較的小さい押圧力Ｆ２となる。
【００４７】
Ｆ２・Ｌ２＝Ｆ・Ｌ
このようにカード１に対する押圧力が比較的小さい押圧力Ｆ２であっても、カード１は前述した接触圧には拘束されないので、円滑に排出させることができる。
【００４８】
図５は、この第１実施形態で得られるつまみ押込量とカード排出量との関係を示す特性図である。
【００４９】
この図５の特性線部分Ａは、排出レバー１０の第１押圧部１６によってカード１が押圧されているときの特性であり、特性線部分１３は、第２押圧部１７によってカード１が押圧されているときの特性である。
【００５０】
このように第１実施形態によれば、カード１の排出開始時には、カード１に当接する排出レバー１０の当接点である第１押圧部１６と、排出レバー１０の軸１１との距離Ｌ１が比較的短いことから、排出レバー１０の回動に応じて、カード１に比較的大きな押圧力Ｆ１を与え、このカード１を押し出すことができる。その後は、第２押圧部１７のカード１への当接により、この第２押圧部１７と排出レバー１０の軸１１との距離Ｌ２が長くなることから、排出レバー１０の回動に伴うカード１の排出量Ｓ２が大きくなり、このカード１を速やかに排出させることができる。
【００５１】
そして特に、この第１実施形態は、排出レバー１０の回動支点を形成する軸１１の位置を不変に設定してあることから、カード１の排出に際して、排出レバー１０は１つの回動支点のみにおいて回動動作を実施する。これにより、この排出レバー１０の回動動作の安定化を実現でき、装置の信頼性を高めることができる。
【００５２】
また、この第１実施形態は、排出レバー１０を装置奥側位置に配置したことから、端子部材８が備えられるヘッダ７部分を、排出レバー１０の配置領域として活用させることができ、コンパクトな構造とすることができる。
【００５３】
また、この第１実施形態は、排出レバー１０の軸１１をヘッダ７に一体に形成したことから、ヘッダ７の形成時に軸１１を同時に形成でき、部品点数を少なくして製作費を安くすることができる。
【００５４】
また、この第１実施形態は、第１押圧部１６と第２押圧部１７を排出レバー１０に一体に形成したことから、排出レバー１０の形成時に、これらの第１押圧部１６と第２押圧部１７も同時に形成でき、部品点数を少なくして製作費を安くすることができる。
【００５５】
また、この第１実施形態は、カード１が、排出レバー１０の少なくとも一部を収容する凹部２を有することから、装置の奥行寸法を小さく設定でき、装置の小型化を実現できる。
【００５６】
また、この第１実施形態は、カード１が凹部２を覆う上壁４を有することから、排出レバー１０の上下方向の動きは上壁４で規制でき、円滑な排出レバー１０の回動動作を実現できる。これにより、排出レバー１０の回動性能を高めることができる。また、排出レバー１０がカード１の上面部分に位置することがないので、この排出レバー１０によるカード１の上面部分等に対する損傷を防ぐことができ、装置に対する信頼性の向上に貢献する。
【００５７】
また、この第１実施形態は、排出レバー１０を回動させるプッシュロッド１３と、つまみ１４を備えているので、つまみ１４の押圧操作によってカード１を容易に排出させることができる。
【００５８】
図６〜８はカードの断面図を含む本発明の第２実施形態を示す図で、図６はカード排出開始時の平面図、図７はカード排出途中の平面図、図８はカード排出終了時の平面図である。
【００５９】
［第２実施形態の要部構成］
この第２実施形態は、カード１の排出に際し、排出レバー１０を回動させる力の作用方向と直交する方向の、カード１に当接する排出レバー１０の当接点と回動支点との距離を、カード１の排出開始時から排出終了時の間で増加させる距離変更手段の構成が上述した第１実施形態と異なっている。
【００６０】
すなわち、この第１実施形態は、図６に示すように、距離変更手段が、排出レバー１０の他端側１５に形成され、カード１を押圧する曲線形状部１８を備えている。この曲線形状部１８は、当接開始部分１９と当接終了部分２０を含み、これらの当接開始部分１９と当接終了部分２０とを結ぶ線形状が、カード１の前端部１ａ側に向って凸となる形状となっている。
【００６１】
その他の構成は、例えば前述した第１実施形態におけるのと同等である。
【００６２】
［カードの排出］
この第２実施形態も、所定のカード装着位置に装着されているカード１を排出させる際には、図６に示すつまみ１４が押圧される。これにより、プッシュロッド１３が移動し、このプッシュロッド１３に連結された排出レバー１０が、回動支点を形成する軸１１を中心に同図６において反時計回りに回動を始める。このときの排出レバー１０の曲線形状部１８の当接開始部分１９によるカード１に対する押圧力は、下記の式による比較的大きい押圧力Ｆｘ１となる。
【００６３】
Ｆｘ１・Ｌ１＝Ｆ・Ｌ
また、このカード１の排出開始時のカード１の排出量は、比較的短い距離Ｌ１に応じて比較的小さな排出量Ｓ１となる。
【００６４】
このように、カード１の排出開始時に、比較的大きい押圧力Ｆｘ１が得られることから、カード１の接触部材３とヘッダ７の端子部材８との接触による比較的大きな接触圧に抗して、排出レバー１０によってカード１を排出方向に押し出すことができる。
【００６５】
引き続く排出レバー１０の回動に伴い、曲線形状部１８のカード１に対する当接点は、図７に示すように、この曲線形状部１８の凸形状に応じて回動支点を形成する軸１１から離れる方向に連続的に変位する。すなわち、カード１に対する当接点は、排出レバー１０の回動に応じてカード１の前端部１ａを形成する凹部２の壁面５に沿って移動する。これにより、排出開始時には、軸１１に近い曲線形状部１８の所定部分すなわち当接開始部分１９と、軸１１との距離が短く、その後は、曲線形状部１８のカード１に対する当接点すなわち軸１１より遠い所定部分と、軸１１との距離は次第に長くなる。
【００６６】
図８に示すカード排出終了時における曲線形状部１８の当接終了部分２０によるカード１の排出量は距離Ｌ１よりも長い距離Ｌ２に応じて大きな排出量Ｓ２となる。
【００６７】
なお、このときの当接終了部分２０によるカード１に対する押圧力は、下記の式による比較的小さい押圧力Ｆｘ２となる。
【００６８】
Ｆｘ２・Ｌ２＝Ｆ・Ｌ
このようにカード１に対する押圧力が比較的小さい押圧力Ｆｘ２であっても、カード１はその接触部材３とヘッダ７の端子部材８との接触圧には拘束されないので、円滑に排出させることができる。
【００６９】
図９は、この第２実施形態で得られるつまみ押込量とカード排出量との関係を示す特性図である。
【００７０】
この図９に示すように、第２実施形態にあっては、つまみ１４の押込量に対してカード１の排出量を曲線的に増加させることができる。
【００７１】
上述したように、この第２実施形態は、カード１の排出開始時には、軸１１に近い曲線形状部１８の所定部分すなわち当接開始部分１９を介しカード１に比較的大きな押圧力Ｆｘ１を与えて、このカード１を押し出すことができる。その後は、軸１１から遠い曲線形状部１８の所定部分すなわち当接点を介しカード１の排出量を図９に示すように連続的に増加させて、このカード１を速やかに排出させることができる。なお、排出レバー１０の軸１１の位置は第１実施形態と同様に不変に設定されている。
【００７２】
したがって、この第２実施形態も、上述した第１実施形態と同等の作用効果を得ることができる。また特に、カード１の排出に際し、排出レバー１０の回動に応じてカード１の排出量を連続的に増加させることができるので、カード１の円滑な排出を実現でき、優れたカード排出性能が得られる。
【００７３】
図１０は本発明の第３実施形態の要部断面図である。この図１０に示すように、第３実施形態は、排出レバー２３の回動支点を形成する軸２２を、本体を形成するハウジング６を覆うカバー部材２１に一体に形成させてある。また、カード１の前端部１ａに当接するように排出レバー２３を配置してある。カード１の凹部２には、第１，第２実施形態におけるのと異なって、ヘッダ７の端子部材８を含む上壁７ａだけが挿入される構成となっている。その他の構成は、例えば前述した第１実施形態におけるのと同等である。
【００７４】
このように構成した第３実施形態も、排出レバー１０の回動に伴って、排出レバー１０の他端側１５によってカード１の前端部１ａが押圧されて排出されるようになっており、また、カバー部材２１に形成した軸２２の位置が不変であることから、第１実施形態と同等の作用効果が得られる。
【００７５】
また特に、排出レバー１０の軸１１をカバー部材２１に一体に形成したことから、カバー部材２１の形成時に、排出レバー１０の軸１１を同時に形成でき、部品点数を少なくして製作費を安くすることができる。
【００７６】
【発明の効果】
本発明は、以上の構成にしてあることから、カード排出開始時には、比較的大きな押圧力でカードを押し出すことができ、その後はカードを比較的大きな排出量で排出させることができる。また特に、排出レバーの回動支点の位置を不変に設定したことにより、排出レバーの回動動作の安定化を実現でき、従来に比べてコネクタ装置としての信頼性を向上させることができる。
【図面の簡単な説明】
【図１】本発明のカード用コネクタ装置の第１実施形態を示す図で、カードの断面図を含むカード排出開始時の平面図である。
【図２】本発明の第１実施形態を示す図で、カードの断面図を含むカード排出途中の平面図である。
【図３】本発明の第１実施形態を示す図で、カードの断面図を含むカード排出終了時の平面図である。
【図４】本発明の第１実施形態に備えられる排出レバー及びヘッダと、カードとの装着関係を示す図で、（ａ）図はカード装着前を示す要部側断面図、（ｂ）図はカード装着時を示す要部側断面図である。
【図５】本発明の第１実施形態で得られるつまみ押込量とカード排出量との関係を示す特性図である。
【図６】本発明の第２実施形態を示す図で、カードの断面図を含むカード排出開始時の平面図である。
【図７】本発明の第２実施形態を示す図で、カードの断面図を含むカード排出途中の平面図である。
【図８】本発明の第２実施形態を示す図で、カードの断面図を含むカード排出終了時の平面図である。
【図９】本発明の第２実施形態で得られるつまみ押込量とカード排出量との関係を示す特性図である。
【図１０】本発明の第３実施形態を示す要部側断面図である。
【符号の説明】
１    カード
１ａ  前端部
２    凹部
２ａ  開口
３    接触部材
４    上壁
４ａ  下壁
５    壁面
６    ハウジング
７    ヘッダ
７ａ  上壁
８    端子部材
９    溝部
１０  排出レバー
１１  軸
１２  一端側
１３  プッシュロッド
１４  つまみ
１５  他端側
１６  第１押圧部（距離変更手段）
１７  第２押圧部（距離変更手段）
１８  曲線形状部（距離変更手段）
１９  当接開始部分
２０  当接終了部分
２１  カバー部材
２２  軸（回動支点）
２３  排出レバー
【図１】
2004335303.tif 000003
【図２】
2004335303.tif 000004
【図３】
2004335303.tif 000005
【図４】
2004335303.tif 000006
【図５】
2004335303.tif 000007
【図６】
2004335303.tif 000008
【図７】
2004335303.tif 000009
【図８】
2004335303.tif 000010
【図９】
2004335303.tif 000011
【図１０】
2004335303.tif 000012